(57)【要約】【課題】面倒な固定作業の必要もなく枕を水平状態に置いたまま、しかも太陽光のもとに照射され、天日干し後にも枕が型崩れすることもない簡便な枕干し具を提供することである。【解決手段】上部に掛止部を有する一定横幅の縦型支持部を有し、前記支持部の一側にて支点より回動可能に支持された一定横幅を有する枕受棚部を前記縦型支持部に対して所定角度のまま突出状態に保持せしめた。【選択図】　　　図１
0003097560.tif 000002
【実用新案登録請求の範囲】
【請求項１】
上部に掛止部を有する一定横幅の縦型支持部を有し、前記支持部の一側に下方支点より回動可能に支持された一定横幅を有する枕受棚部を前記縦型支持部に対して所定角度で突出状態に保持せしめたことを特徴とする枕干し具。
【請求項２】
縦型支持部に対して上下に一定間隔をおいて複数段の枕受棚部を形成したことを特徴とする請求項１記載の枕干し具。
【請求項３】
枕受棚部は、縦型支持部に対して４５〜９０°の幅で傾斜を調整し得るよう、縦型支持部の上部と枕受棚部の外端部との間に連結紐体にて連結するようにしたことを特徴とする請求項１又は請求項２記載の枕干し具。
【請求項４】
枕受棚部は、枕棚外枠体と、外枕棚外枠体の全領域に網部を形成してなることを特徴とする請求項１、請求項２又は請求項３記載の枕干し具。
【請求項５】
枕受棚部は枕の横幅の長さを有することを特徴とする請求項１、請求項２、請求項３又は請求項４記載の枕干し具。
【考案の詳細な説明】
【０００１】
【考案の属する技術分野】
この考案は、枕を太陽の光に当て枕の通気性を良好にすると共に、不衛生になりがちになる枕の衛生状態を保持するようにした枕干し具に関する。
【０００２】
【従来の技術】
従来、枕干し具としてハンガータイプのもの、メッシュ袋タイプのものが提供されているがいずれも取扱いが煩瑣である欠点があった。（例えばば特許文献１、特許文献２、特許文献３、特許文献４、特許文献５）
【０００３】
【特許文献１】
公開実用新案公報、実開平７−３３２９１号
公開実用新案公報、実開平６−８５６６１号
公開実用新案公報、実開平５−１３３８７号
実用新案登録第３０７８０９２号
実用新案登録第３０７４６３５号
【０００４】
【考案の解決しようとする課題】
上記特許文献１〜５に示される従来の枕干し具に共通するところは、本来寝具に水平に置かれている枕であるが、枕を太陽光を照射させるべく枕をベルト、紐体、網体等で縦方向に固定し物干し竿等に吊している。
【０００５】
しかし、本来水平方向に安置される枕を垂直方向にすることで、蕎麦殼等の枕の内容物が位置ずれし、枕が変形することがあること、そして枕干しのためにベルト、紐体、網体等で枕を固定する等の煩瑣な作業を必要とすることである。
そこで、この考案の目的とするところは、上記の問題点を解決するべく、面倒な固定作業の必要もなく枕を水平状態に置いたまま、しかも太陽光のもとに照射されるようにして、型崩れすることもない簡便な枕干し具を提供することである。
【０００６】
【課題を解決するための手段】
本考案は、上記の問題点に鑑み、上部に掛止部を有する一定横幅の縦型支持部を有し、前記支持部の一側に下方支点より回動可能に支持された一定横幅を有する枕受棚部を前記縦型支持部に対して突出状態に保持せしめてある。
【０００７】
更に、同時に複数の枕に太陽光に照射させることができるように、縦型支持部に対して上下に一定間隔をおいて複数段の枕受棚部を形成したてあること。
【０００８】
枕を干している間、該枕が落下しないように、枕受棚部は、縦型支持部に対して７０〜９０°の幅で傾斜を調整し得るよう、縦型支持部の上部と枕受棚部の外端部との間に連結紐体にて連結するようにしてあること。
【０００９】
更に、枕の乾燥が短時間で行われるように、枕受棚部は、枕棚外枠体と、外枕棚外枠体の内部の全領域に網部を形成してある。
【００１０】
更に、枕干しに便利なように、枕受棚部は枕の横幅に対応する長さとしてある。
【００１１】
【考案の実施の形態】
【実施例１】
図１に示すように、この枕干し具は、主として縦型支持部１と、この縦型支持部１の両端部上部に形成した掛止部２と、この縦型支持部１の両端部に回動自在に支承された枕受棚部３とからなっている。
【００１２】
更に詳しくは、縦型支持部１の横幅は少なくとも一個又は二個の枕の横幅の長さに対応するようにしてある。更に、縦型支持部１の強度を保持するために上方及び下方に横板４を架渡してある。
【００１３】
掛止部２は、縦型支持部１の両端部上部に形成してあり、日当たりのよいベランダ等の手摺り５に掛け止めし易いように内側に弾力性のある湾曲体６を形成してある。
【００１４】
枕受棚部３は前記縦型支持部１に対して支軸７を中心にほぼ４５〜９０°の角度で突出している。枕受棚部３は周枠８の内部の全領域に金属製、繊維糸製の網部９を形成してある。枕受棚部３は図１、図２、図３に示したような平板状であっても、又は図４に示したような凹状体の枕受棚部３ａとしてもよい。
網部９がハンモック状の吊床としてあれば枕受棚部３は、縦型支持部１に対して直角状に突出していた場合にでも枕１１は枕受棚部３より落ちることはない。
【００１５】
縦型支持部１に対する枕受棚部３を強固に保持するために縦型支持部１の上部両端部と枕受棚部３の外端部との間に連結紐１０を架渡してある。この連結紐１０を調節することによって縦型支持部１に対する枕受棚部３の傾斜度を随時に調節することができる。
【００１６】
枕受棚部３の網部９に枕１１を置いた場合に、枕受棚部３が図示のように傾斜しておれば、枕１１の落下を防ぐことができる。更に網部９を撓み性のある繊維糸製にすれば、枕１１を枕受棚部の上に置いた場合、枕１１の重みによって網部９が下方に撓んでより確実に落下防止を図ることができることになる。
【００１７】
枕受棚部３の横幅は枕１１一個の横幅としてもよいが、枕１１二個を横列に並べることのできる横幅にすることもできる。但し、図２には枕二個を上下二段に枕受棚部３を形成したものを図示してあるが、一個の枕受棚部３に枕１１二個を置くことの出来る横幅にすれば、当然のことながら、上下二段の枕受棚部３には４個の枕１１を置くことができることになり、標準世帯４人分の枕１１を一挙に干すことができることになる。
【００１８】
【考案の効果】
請求項１の枕干し具によれば、上部に掛止部を有する一定横幅の縦型支持部を有し、前記支持部の一側に下方支点より回動可能に支持された一定横幅を有する枕受棚部を前記縦型支持部に対して突出状態に保持せしめてあるので、枕干しのための固定作業のような煩瑣な作業は必要がなく、しかも枕を水平状態のままに天日干しができるので太陽光に当てた後の枕が変形することがない。
請求項２の枕干し具によれば、縦型支持部に対して上下に一定間隔をおいて複数段の枕受棚部を形成してあるので、複数個の枕を同時に太陽光に照射できることになる。
請求項３の枕干し具によれば、枕受棚部は、縦型支持部に対して４５〜９０°の幅で傾斜を調整し得るよう、縦型支持部の上部と枕受棚部の外端部との間に連結紐体にて連結するようにしてあるので、枕の落下を有効に防止できると共に縦型支持部に対して枕受棚部を強固に保持することができる。
請求項４の枕干し具によれば、枕受棚部は、枕棚外枠体と、外枕棚外枠体の全領域に網部を形成してなるので、枕の上面及び下面を同時に乾燥させることができることになる。
請求項５の枕干し具によれば、枕受棚部は枕の横幅の長さを有するようにしてあるので、枕を枕受棚部に置くだけの作業でよいから、枕干しが簡便に行えることになる。
【図面の簡単な説明】
【図１】本願考案の枕干し具の斜視図である。
【図２】本願考案の枕干し具の側面図である。
【図３】枕受棚部のみを取り外した状態の一部切り欠き斜視図
【図４】枕受棚部を凹状にした例を示す一部切り欠き斜視図
【符号の説明】
１．．．縦型支持部
２．．．掛止部
３．．．枕受棚部
４．．．横板
５．．．ベランダ等の手摺り
６．．．湾曲体
７．．．支軸
８．．．周枠
９．．．網部
１０．．連結紐
１１．．枕
【図１】
0003097560.tif 000003
【図２】
0003097560.tif 000004
【図３】
0003097560.tif 000005
【図４】
0003097560.tif 000006